【事件の表示】
　特許第３４６５７５０号「放電灯の製造方法及びその放電灯、照明器具」の請求項１、３、４に係る特許に対する特許異議の申立てについて、次のとおり決定する。
【結　論】
　訂正を認める。
　特許第３４６５７５０号の請求項１、３、４に係る特許を維持する。
【理　由】
第１　手続きの経緯
　本件は、平成５年７月２９日に出願されたものであり、平成１５年８月２９日に特許権の設定登録（特許第３４６５７５０号）がされ、同年１１月１０日にその特許掲載公報が発行され、同年１２月１１日にその請求項１、請求項３、及び請求項４に係る特許に対して、山添康弘より特許異議の申立てがなされた。
　当審において、本件の請求項１、請求項３、及び請求項４に係る特許に対して、平成１６年８月３１日付けで取消理由を通知したところ、同年１１月８日付けで訂正請求がなされた。
　
第２　訂正の適否
１　訂正事項
　訂正を請求する事項は、次のとおりである。
訂正事項ａ：
　請求項１に「この透光性発光管に高融点金属線を封着した後、」とあるのを、「この透光性発光管に高融点金属線を封着し、この透光性発光管を封止した後、」と訂正する。
訂正事項ｂ：
　請求項４に「電極部分の一部を選択的にレーザー光にて溶断することによって、発光管内に一対の電極を形成する工程」とあるのを、「この発光管を封止した後に電極部分の一部を選択的にレーザー光にて溶断することによって、発光管内に一対の電極を形成する工程」と訂正する。
訂正事項ｃ：
　段落【００１１】に「この透光性発光管に高融点金属線を封着した後、」とあるのを、「この透光性発光管に高融点金属線を封着し、この透光性発光管を封止した後、」と訂正する。
訂正事項ｄ：
　段落【００１４】に「電極部分の一部を選択的にレーザー光にて溶断することによって、発光管内に一対の電極を形成する工程」とあるのを、「この発光管を封止した後に電極部分の一部を選択的にレーザー光にて溶断することによって、発光管内に一対の電極を形成する工程」と訂正する。
　
２．新規事項追加の有無、訂正の目的の適否、及び特許請求の範囲の実質上の拡張又は変更の存否                        
(１)　訂正事項ａは、明細書段落【００２４】〜【００２６】の「そして、気密に封止した後、チップ部３１を利用して排気管３２からバルブ２１内に水銀や金属ハロゲン化物などの薬品２９を挿入する一方、バルブ２１内を排気系で吸引して負圧にした後、始動用希ガスを封入し、排気管３２をチップオフして外部から図２（Ｂ）に示すように隔離する。始動用希ガスを封入した発光管２２を液体窒素３３を貯溜した極低温冷却槽３４内に浸漬して始動用希ガスを冷却し、液化させ、発光管２２内の真空度を高めている。さらに、図２（Ｃ）に示すように始動用希ガスを冷却液化した状態でチップ部３１をバーナ加熱して真空封着し、発光管２２内に高圧の希ガスを封じ込めるようにしている。その後、図２（Ｄ）に示すように炭酸ガスレーザなどのレーザ装置３５によりタングステン線などの高融点金属線３０にレーザ光を照射して切断または溶融させ、電極２５間距離を例えば１．０ｍｍ以下に設定する。この際、電極２５の先端部は略球状に形成される。」という記載に基づき、請求項１に記載された「高融点金属線をレーザー光にて溶融切断することにより、所定の電極間距離に設定する工程」が、「透光性発光管を封止した後」に行われるものであることに限定するものである。
　したがって、訂正事項ａは、願書に添付した明細書又は図面に記載された事項の範囲内の訂正であって、特許請求の範囲の減縮を目的とする訂正に該当し、また、実質上特許請求の範囲を拡張し又は変更するものでもない。
　
(２)　訂正事項ｂは、明細書段落【００３３】の「図４（Ａ），（Ｂ）は本発明に係る放電灯の第２実施例を示し、それぞれ完成前と完成後の放電灯を示す概略正面図である。この放電灯５０では片側が開口した球状のバルブ５１から透光性の石英製発光管５２を成形し、片側に第１の電極マウント５３および第２の電極マウント５４を封着した点が前記第１実施例と異なるだけで、その他、高融点金属線にレーザ光を照射して切断または溶融させ、電極間距離を規定するとともに、放電電極５５の先端部を略球状に形成した点などは前記第１実施例と同様の構成および作用である。」という記載に基づき、請求項４に記載された「電極部分の一部を選択的にレーザー光にて溶断することによって、発光管内に一対の電極を形成する工程」が、「発光管を封止した後に」に行われるものであることに限定するものである。
　したがって、訂正事項ｂは、願書に添付した明細書又は図面に記載された事項の範囲内の訂正であって、特許請求の範囲の減縮を目的とする訂正に該当し、また、実質上特許請求の範囲を拡張し又は変更するものでもない。
　
(３)　訂正事項ｃ及び訂正事項ｄは、訂正事項ａ及び訂正事項ｂの訂正に伴い、特許請求の範囲の記載と発明の詳細な説明の記載との整合をとるためのものであるから、明りょうでな記載の釈明を目的とする訂正に該当するものであって、願書に添付された明細書又は図面に記載されていた事項の範囲内でのものあり、また、実質上特許請求の範囲を拡張し又は変更するものではない。
　
３　訂正の適否の結論
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
第３　特許異議の申立てについて
１　本件発明
　上述のとおり、本件の訂正請求は認められるので、本件の請求項１、請求項３、及び請求項４に係る発明は、訂正請求書に添付された全文訂正明細書の特許請求の範囲の請求項１、請求項３、及び請求項４に記載された事項により特定される次のとおりのものである。（以下、それぞれ「本件発明１」、「本件発明３」、及び「本件発明４」という。）
「【請求項１】透光性発光管に一対の電極を一体に形成した高融点金属線を封着する工程と、この透光性発光管に高融点金属線を封着し、この透光性発光管を封止した後、所定の電極間距離になるように高融点金属線を、透光性発光管外部から照射するレーザー光にて溶融切断することにより、所定の電極間距離に設定する工程と、を具備することを特徴とする放電灯の製造方法。
　【請求項３】レーザー光にて溶融切断することにより、電極の先端を略球状に形成することを特徴とする請求項１または２記載の放電灯の製造方法。
　【請求項４】透光性発光管と、一対の電極を一体に形成した電極マウントとを用意する工程と、
　透光性発光管の放電空間内に電極マウントの電極部分が位置するように電極マウントを発光管内に挿入する工程と、
　透光性発光管の一部を電極マウントの一部に封着させることによって、発光部内部に電極部分が配置された発光管を形成する工程と、
　この発光管を封止した後に電極部分の一部を選択的にレーザー光にて溶断することによって、発光管内に一対の電極を形成する工程とを包含する放電灯の製造方法。」
　
２　特許異議の申立ての概要
　特許異議申立人は、甲第１号証として米国特許第４５０８５１４号明細書を提出するとともに、本件発明１、本件発明３、及び本件発明４は、該号証に記載された発明と同一、もしくは該号証に記載された発明に基づいて当業者が容易に発明をすることができたものであって、特許法第２９条第１項第３号もしくは同条第２項の規定により特許を受けることができないものであるから、本件発明１、本件発明３、及び本件発明４についての特許は取り消すべきものである旨主張している。
　　　　　　　　　　　
３　甲第１号証に記載された技術的事項
　甲第１号証には、「ハロゲン化金属放電ランプの製造方法に関し、図面とともに、以下の記載がある。（なお、記載事項については申立人が提出した翻訳文を採用した。）
(１)　特許請求の範囲には、
　(1a)「導電性ロッドを石英容器内部に封止する工程、
　　　前記ロッドにレーザ光を集束させて前記導電性ロッドを切断して、所　　定の寸法長さを有するアークギャップを形成する工程、
　　　前記石英容器に充填ガスを充填する工程、
　　　ガスを充填した前記容器を封止してハロゲン化金属放電ランプを形成　　する工程
　　からなるハロゲン化金属放電ランプの製造方法。」（請求項１）
　(1b)「前記レーザ光による切断中に、前記導電性ロッドを溶融させて、そ　　の端部に真球状のボールを形成する工程を含む請求項１の放電ランプ製　　造方法。」（請求項５）
　(1c)「前記放電ランプが、片口ハロゲン化金属放電ランプの形状である請　　求項１の放電ランプ製造方法。」（請求項１０）
　(1d)「前記放電ランプが、両口ハロゲン化金属放電ランプの形状である請　　求項１の放電ランプ製造方法。」（請求項１１）
(２)　発明の目的に関し、「本発明の目的は、ハロゲン化金属放電ランプの　改良製造方法を提供することである。本発明のもうひとつの目的は、ハロ　ゲン化金属放電ランプのアークギャップの均一性を改善することである。　さらに別の目的は、ハロゲン化金属放電ランプの電極の平面的均一性を改　善することである。さらに別の目的は、低コスト、高効率および高均一に　ハロゲン化金属放電ランプを製造する改良方法を提供することである。
　　本発明の一観点によれば、これらおよびその他の目的、利点および機能　は、導電性ロッドを石英容器内に封止し、レーザ光を前記ロッドに集束さ　せて前記ロッドを切断することによって所定の寸法長さを有するアークギ　ャップを形成し、前記石英容器に充填ガスを充填し、封止してハロゲン化　金属放電ランプを形成することからなるアーク管の製造方法によって達成　することができる。」（第２欄８〜３０行）
(３)　片口ハロゲン化金属放電ランプの製造方法に関し、
　(3a)「図面に関し、図ｌａ〜ｌｆは本発明による片口ハロゲン化金属放電　　ランプの製造方法を示す。ここで、４０ワットハロゲン化金属放電ラン　　プの、好ましくは約０．５ｍｍの直径を有するタングステンロッド５が　　選択され、所定の長さになるように切断される。この所定長さのタング　　ステンロッド５は、例えばＵ字型等の所望の形状に屈曲され、その端部　　７および９はそれぞれ箔材１１および１３に取り付けられる。導電体１　　５は、好ましくはヘアピン形状に形成され、その一対の端部１７および　　１９が箔材１１および１３にそれぞれ取り付けられる」（第３欄１〜１　　１行）
　(3b)「タングステンロッド５、箔材１１および１３、導電体１５は、石英　　容器２９内に封止される。すなわち、タングステンロッド５，箔材１１　　および１３、導電体１５は、石英容器２９の一方の端部に圧着封止され　　る。」（第３欄１５〜２０行）
　(3c)「その後、石英容器１９（当審注：２９の間違い）の外側にある光源　　３１からのレーザ光を、タングステンロッド５のノッチ２５および２７　　に集束させる。不活性ガスを使用して石英容器２９を洗浄する一方で、　　レーザ光によってタングステンロッド５をノッチ２５および２７の箇所　　で切断し、所定長さのアークギャップ３３を始動コイル２１および２３　　間に形成する。」（第３欄２１〜２７行）
　(3d)「さらに、レーザ光で切断されたタングステンロッド５のノッチ２５　　および２７の箇所に、球状の端部を形成してもよい。」（第３欄２８〜　　３０行）
　(3e)「切断されたタングステンロッド５は、例えば重力等の外力によって　　容器２９から除去される。」（第３欄３０〜３２行）
　(3f)「次いで、ナトリウムまたはスカンジウム等の金属のハロゲン化物を　　添加した水銀等の材料からなる充填ガスを、アルゴンとともに石英容器　　２９内に供給する。次いで容器２９を封止し、導電体１５を切断し、ハ　　ロゲン化金属放電ランプを関連電気器具に電気的に接続するのに適した　　一対の電気リード３５および３７を形成する。」（第３欄３３〜４０行　　）
(４)　両口ハロゲン化金属放電ランプの製造方法に関し、
　(4a)「図２は、上記製造方法が好適する両口ハロゲン化金属放電ランプの　　好ましい形態を示す。具体的には、タングステンロッド５５はその両端　　部５７および５９において、排出管６３を備えた石英容器６１内に封止　　されている。タングステンロッド５５は、間隔をあげて取り付けられた　　一対の始動コイル６５および６７を有し、タングステンロッド５５の端　　部はそれぞれ箔材６９および７１に取り付けられ、箔材６９および７１　　は一対の導電体７３および７５に取り付けられる。また、一対のノッチ　　７７および７９は、タングステンロッドの、前記一対の始動コイル６５　　および６７問であって、各コイルの近傍に形成される。」（第４欄２３　　〜３５行）
　  (4b)「上記の片口ハロゲン化金属放電ランプの製造方法と同様、レーザ　　光源８１を集束させてノッチ７７および７９の箇所でタングステンロッ　　ド５５を切断してアークギャップ８３を与える一方で、洗浄ガスをノッ　　チ７７および７９に流すことによって、揮発した電極材料が石英容器６　　１の側壁に集積するのを防ぐ。」（第４欄３６〜４２行）
　(4c)「その後、例えば容器６１を反転させてタングステンロッド５５の切　　断した部分を除去し、排出管６３を介して充填ガス混合物を容器６１内　　に供給し、排出管６３を封止して、所望の両口ハロゲン化金属放電ラン　　プを形成する。」（第４欄４２〜４７行）
(５)　発明の効果について、「このようにして、ハロゲン化金属放電ランプ　の改良製造方法と、特に小型のハロゲン化金属放電ランプが提供される。　この方法は、体積が約０．３ｃｍ３未満の小型ハロゲン化金属放電ランプ　に特に適用することができる。またこの方法は効率的であり、アークギャ　ップの寸法および形状の均一性および再現性を保証する点において重要で　ある。」（第４欄４８〜５５行）
と記載されている。
　
４　対比・判断
(１)　第２９条第１項第３号違反について
ア　本件発明１と甲第１号証記載の発明との対比
　本件発明１と甲第１号証記載の発明とを対比すると、いずれも放電灯の製造方法であって、甲第１号証記載の発明における「石英容器」、「タングステンロッド」、「所定の寸法長さを有するアークギャップ」及び「ハロゲン化金属放電ランプ」は、それぞれ本件発明１における「透光性発光管」、「一対の電極を一体に形成した高融点金属線」、「所定の電極間距離」及び「放電灯」に相当する。
　よって、両者は、「透光性発光管に一対の電極を一体に形成した高融点金属線を封着する工程と、この透光性発光管に高融点金属線を封着した後、所定の電極間距離になるように高融点金属線を、透光性発光管外部から照射するレーザー光にて溶融切断することにより、所定の電極間距離に設定する工程と、を具備する放電灯の製造方法。」である点で一致している。
　しかし、本件発明１が、発光管を封止した後にレーザー光によって高融点金属線を溶融切断するものであるのに対して、摘記事項(3f)、(4c)から明らかなように、甲第１号証記載の発明は、高融点金属線をレーザー光によって溶融切断した後に発光管を封止するものである点で相違している。
　このように、本件発明１と甲第１号証記載の発明とでは、レーザー光によって溶融切断する工程と発光管の封止工程との順序が相違しているから、本件発明１は、甲第１号証記載の発明と同一ではない。
　
イ　本件発明３と甲第１号証記載の発明との対比
　本件発明３は、前記本件発明１を選択的に引用する形式で記載されており、本件発明１の構成に加えて、さらに「レーザー光にて溶融切断することにより、電極の先端を略球状に形成する」という構成を付加するものであるが、摘記事項(3d)から明らかなように、該構成については甲第１号証に記載されている。
　したがって、前項に記載したのと同じ理由で、本件発明３は、甲第１号証記載の発明と同一ではない。
　
ウ　本件発明４と甲第１号証記載の発明との対比
　本件発明４と甲第１号証記載の発明とを対比すると、いずれも放電灯の製造方法であって、甲第１号証記載の発明における「石英容器」及び「タングステンロッド」は、それぞれ本件発明４における「透光性発光管」及び「電極」に相当する。
　また、摘記事項(3a)から明らかなように、甲第１号証記載の発明における、所定の長さに切断され、その端部に箔材及び導電体が取り付けられたタングステンロッドは、本件発明４における「一対の電極を一体に形成した電極マウント」に相当する。
　さらに、甲第１号証記載の発明における「ノッチ」は、本件発明４における「電極部分の一部」に相当する。
　よって、両者は、
「透光性発光管と、一対の電極を一体に形成した電極マウントとを用意する工程と、
　透光性発光管の放電空間内に電極マウントの電極部分が位置するように電極マウントを発光管内に挿入する工程と、
　透光性発光管の一部を電極マウントの一部に封着させることによって、発光部内部に電極部分が配置された発光管を形成する工程と、
　電極部分の一部を選択的にレーザー光にて溶断することによって、発光管内に一対の電極を形成する工程とを包含する放電灯の製造方法。」である点で一致している。
　しかし、本件発明４が、発光管を封止した後に電極部分の一部を選択的にレーザ光にて溶断切断するものであるのに対して、摘記事項(3f)、(4c)から明らかなように、甲第１号証記載の発明は、電極部分の一部を選択的にレーザー光によって溶融切断した後に発光管を封止するものである。
　このように、本件発明４と甲第１号証記載の発明とでは、レーザー光によって溶融切断する工程と発光管の封止工程との順序が相違しているから、本件発明１は、甲第１号証記載の発明と同一ではない。
　
(２)　第２９条第２項違反について
　レーザー光によって溶融切断する工程と発光管の封止工程との順序の相違について、以下に検討する。
　本件発明１、本件発明３、及び本件発明４は、発光管を封止した後にレーザー光によって高融点金属線あるいは電極部分の一部を溶融切断することにより、レーザー光による溶融切断後の電極の封止部分が発光管の排気または封止工程時の熱の影響を受けることがないので、電極位置または電極間距離を再現性よく正確に定めることができるという作用効果を奏するものである。
　これに対し、甲第１号証記載の発明では、高融点金属線であるタングステンロッドに形成された２つのノッチにレーザー光を集束させて切断するものであり、摘記事項(3e)、(3f)及び(4c)から明らかなように、溶融切断されたノッチ間のタングステンロッドが発光管内に残存しており、それを容器から除去した後に、発光管を封止するものである。
　すなわち、甲第１号証記載の発明では、レーザー光による溶融切断後にタングステンロッドから切り落とされた残存物を除去するために、排気用の細管を開放しておかなければならず、必然的にレーザー光による溶融切断後に発光管を排気して封止することになる。
　また、甲第１号証には、レ一ザー光によって溶融切断された電極の封止部分が発光管の排気または封止工程時の熱の影響を受けることによって、電極位置または電極間距離がばらついてしまうという本件発明１、本件発明３、及び本件発明４における解決すべき課題については一切記載がなく、示唆すらなされていない。
　したがって、発光管に封着された高融点金属線部分をレーザー光にて溶融切断するという工程が記載されているだけの甲第１号証記載の発明からでは、本件発明１、本件発明３、及び本件発明４の特徴的な構成である「発光管の封止後に電極溶断予定部をレーザー光にて溶融切断する工程」を想到することは、当業者といえども困難である。
　よって、本件発明１、本件発明３、及び本件発明４が、甲第１号証記載の発明に基づいて当業者が容易に発明をすることができたものであるとすることはできない。
　
第４　むすび
　以上のとおりであるから、特許異議申立人の主張する理由及び証拠方法によっては、本件発明１、本件発明３、及び本件発明４についての特許を取り消すことはできない。
　また、他に本件発明１、本件発明３、及び本件発明４についての特許を取り消すべき理由を発見しない。
　よって、結論のとおり決定する。
【異議決定日】
平成１６年１１月２４日（２００４．１１．２４）
【訂正の要旨】
審決（決定）の【理由】欄参照。
（５４）【発明の名称】
放電灯の製造方法
（５７）【特許請求の範囲】
　【請求項１】透光性発光管に一対の電極を一体に形成した高融点金属線を封着する工程と、この透光性発光管に高融点金属線を封着し
、この透光性発光管を封止し
　【請求項２】透光性発光管に一対の電極を所定の電極間距離よりも小さな電極間距離にて封着する工程と、この透光性発光管に電極を封着した後、所定の電極間距離になるように電極の先端を、透光性発光管外部から照射するレーザー光にて溶融することにより、所定の電極間距離となるように調整する工程と、を具備することを特徴とする放電灯の製造方法。
　【請求項３】レーザー光にて溶融切断することにより、電極の先端を略球状に形成することを特徴とする請求項１または２記載の放電灯の製造方法。
　【請求項４】透光性発光管と、一対の電極を一体に形成した電極マウントとを用意する工程と、
　透光性発光管の放電空間内に電極マウントの電極部分が位置するように電極マウントを発光管内に挿入する工程と、
　透光性発光管の一部を電極マウントの一部に封着させることによって、発光部内部に電極部分が配置された発光管を形成する工程と、
　
この発光管を封止した後に
【発明の詳細な説明】
　【０００１】
　【産業上の利用分野】本発明は水銀灯やメタルハライドランプなどとして用いられる放電灯の製造方法に関する。
　【０００２】
　【従来の技術】水銀灯やメタルハライドランプなどの放電灯は、自動車のヘッドライト、液晶プロジェクタのバックライト、店舗などの照明器具に利用される。その際、放電灯は凹形反射面を備えた反射ミラーの光学中心部に配置されて点灯される。
　【０００３】
　そして、水銀灯やメタルハライドランプなどに用いられる従来の小形の放電灯は、図６の（Ａ），（Ｂ）および（Ｃ）に示すように製造される。この放電灯を製造する際には、図６（Ａ）に示すようにバルブ１を成形した石英製発光管２の一側に第１の電極マウント３を、その他側に第２の電極マウント４を封着し、気密に封止した後、チップ部５を利用して排気管６からバルブ１内に水銀や金属ハロゲン化物などの薬品７を挿入する一方、バルブ１内を排気系で吸引して負圧にした後、始動用希ガスを封入し、排気管６をチップオフして外部から図６（Ｂ）に示すように隔離する。
　【０００４】
　始動用希ガスを封入した発光管２を液体窒素８を貯溜した極低温冷却槽９内に浸漬して始動用希ガスを冷却し、液化させ、発光管２内の真空度を高めている。次いで、始動用希ガスを冷却液化した状態で図６（Ｃ）に示すようにチップ部５をバーナ加熱して真空封着し、発光管２内に高圧の希ガスを封じ込めるようにしている。
　【０００５】
　【発明が解決しようとする課題】ところで、上記のような放電灯において、第１の電極マウント３および第２の電極マウント４の放電電極１０，１１は、その封止の際、互いに完全に分離しており、封止前にそれぞれの電極１０，１１を所定の位置に固定することにより、その電極１０，１１間距離を定めている。
　【０００６】
　この距離は石英製発光管２の封着の際の熱膨張や封止時の回転・振動を考慮して設定されるものの、封止時の熱源の変動や気温など環境変化の影響が大きい場合には、正確な電極位置を再現性よく得ることが困難であるという問題点があった。
　【０００７】
　本発明は上述した事情を考慮してなされたもので、電極位置および電極間距離のバラツキがなく、配光制御の容易な放電灯および該放電灯を用いた照明器具を提供することを目的とする。
　【０００８】
　また、本発明の他の目的とするところは、電極の先端部の劣化を防止することのできる放電灯および該放電灯を用いた照明器具を提供することにある。
　【０００９】
　【００１０】
　【００１１】
　【課題を解決するための手段】上述した課題を解決するために、本発明の請求項１は、透光性発光管に一対の電極を一体に形成した高融点金属線を封着する工程と、この透光性発光管に高融点金属線を封着し
、この透光性発光管を封止し
　【００１２】
　また、請求項２は、透光性発光管に一対の電極を所定の電極間距離よりも小さな電極間距離にて封着する工程と、この透光性発光管に電極を封着した後、所定の電極間距離になるように電極の先端を、透光性発光管外部から照射するレーザー光にて溶融することにより、所定の電極間距離となるように調整する工程と、を具備することを特徴とする。
　【００１３】
　請求項３において、レーザー光にて溶融切断することにより、電極の先端を略球状に形成することを特徴とする。
　【００１４】
　請求項４の発明は、透光性発光管と、一対の電極を一体に形成した電極マウントとを用意する工程と、透光性発光管の発光部に電極マウントの電極部分が位置するように電極マウントを発光管内に挿入する工程と、透光性発光管の一部を電極マウントの一部に封着させることによって、発光部内部に電極部分が配置された発光管を形成する工程と、
この発光管を封止した後に
　【００１５】
　【作用】上記の構成を有する本発明において、少なくとも２本の電極は封着後に高融点金属線をレーザ光にて切断形成して電極間距離を設定したことから、封止時の電極位置変化による電極間距離の変化を考慮する必要がなく、容易に放電距離を定めることができる。また、電極封止位置が正確に定められることから、電極位置ずれによって生ずる気密不良、クラックなどを防止することができる。
　【００１６】
　また、本発明においては、電極間距離を一定に保持し、上記電極の先端部を略球状に形成したことから、電極の先端部の電界分布が一様になり、劣化を防止することができる。
　【００１７】
　【実施例】以下、本発明の実施例を図面に基づいて説明する。
　【００１８】
　図１は本発明に係る放電灯の第１実施例を示す斜視図である。図１に示すように、ショートアーク型の放電灯２０は両側が開口した球状のバルブ２１を成形した透光性の石英製発光管２２の一側に第１の電極マウント２３が、発光管２２の他側に第２の電極マウント２４が封着され、気密に封止される。
　【００１９】
　電極マウント２３，２４は、タングステン線，モリブデン線などの高融点金属からなるバー状の放電電極２５と、モリブデン箔などの金属箔２６と、モリブデン製のアウターリード２７とをそれぞれ組み立てて構成される。この際、電極２５間距離は一定に保持されるとともに、電極２５の先端部は丸く略球状に形成されている。
　【００２０】
　発光管２２のバルブ２１内には放電空間２８が形成され、この放電空間２８内に水銀や金属ハロゲン化物などの薬品２９や始動用希ガスが封入される。薬品２９としての水銀は緩衝用金属として、金属ハロゲン化物は発光金属として用いられ、この金属ハロゲン化物にはＳｃＩ３，ＮａＩなどのメタルハライドがある。始動用希ガスとして代表的にはキセノンがあり、他にクリプトン，アルゴンがある。
　【００２１】
　次に、放電灯２０の製造方法について図２（Ａ）〜（Ｄ）を参照して説明する。
　【００２２】
　この放電灯２０を製造する際には、図２（Ａ）に示すように両側が開口した球状のバルブ２１内に第１の電極マウント２３と第２の電極マウント２４とがバー状の放電電極２５となるタングステン線などの高融点金属線３０により予め接続されて一体となったものを配置する。
　【００２３】
　この際バルブ２１を成形した石英製発光管２２の一側に第１の電極マウント２３が、発光管２２の他側に第２の電極マウント２４がそれぞれ配置されるようにピンチ封着する。
　【００２４】
　そして、気密に封止した後、チップ部３１を利用して排気管３２からバルブ２１内に水銀や金属ハロゲン化物などの薬品２９を挿入する一方、バルブ２１内を排気系で吸引して負圧にした後、始動用希ガスを封入し、排気管３２をチップオフして外部から図２（Ｂ）に示すように隔離する。
　【００２５】
　始動用希ガスを封入した発光管２２を液体窒素３３を貯溜した極低温冷却槽３４内に浸漬して始動用希ガスを冷却し、液化させ、発光管２２内の真空度を高めている。さらに、図２（Ｃ）に示すように始動用希ガスを冷却液化した状態でチップ部３１をバーナ加熱して真空封着し、発光管２２内に高圧の希ガスを封じ込めるようにしている。
　【００２６】
　その後、図２（Ｄ）に示すように炭酸ガスレーザなどのレーザ装置３５によりタングステン線などの高融点金属線３０にレーザ光を照射して切断または溶融させ、電極２５間距離を例えば１．０ｍｍ以下に設定する。この際、電極２５の先端部は略球状に形成される。
　【００２７】
　なお、本実施例では１本の高融点金属線３０から電極２５を形成したが、これ以外に２本の電極２５間距離を放電灯２０の完成後の距離以下に予め設定しておいて、レーザ光を照射して溶融させ、所望の電極２５間距離を得るようにしてもよい。
　【００２８】
　このように本実施例によれば、２本の電極２５は封着後に高融点金属線３０をレーザ光にて切断形成して電極２５間距離を設定したことから、封止時の電極２５の位置変化による電極間距離の変化を考慮する必要がなく、容易に放電距離を定めることができる。また、電極封止位置が正確に定められることから、電極位置ずれによって生ずる気密不良、クラックなどを防止することができる。
　【００２９】
　また、本実施例によれば、電極間距離を一定に保持し、電極２５の先端部を丸く略球状に形成したことから、電極２５の先端部の電界分布が一様になり、電極２５の劣化を防止することができる。
　【００３０】
　図３は上記第１実施例の放電灯を備えた照明器具を示す断面図である。この照明器具４０は凹形状の反射面を有する反射板としての反射ミラー４１を有し、この反射ミラー４１の光学中央部にショートアーク型の放電灯２０が内包するように配置される。
　【００３１】
　放電灯２０はランプホルダ４２にリードサポート装置４３により両端支持される。ランプホルダ４２は反射ミラー４１の中央取付口部に装着される一方、リードサポート装置４３はランプホルダ４２から前方に突出する長短のバー状のリードサポート４４ａ，４４ｂを有し、このリードサポート４４ａ，４４ｂの自由端部に図３に示すように金属バンド４５ａ，４５ｂを介して放電灯２０の両端部が保持される。放電灯２０は反射ミラー４１の光学中央部に前方に突出するように保持される。
　【００３２】
　このように本実施例のショートアーク型の放電灯２０を照明器具４０に適用した場合には、反射ミラー４１の配光特性に適合させることができる。
　【００３３】
　図４（Ａ），（Ｂ）は本発明に係る放電灯の第２実施例を示し、それぞれ完成前と完成後の放電灯を示す概略正面図である。この放電灯５０では片側が開口した球状のバルブ５１から透光性の石英製発光管５２を成形し、片側に第１の電極マウント５３および第２の電極マウント５４を封着した点が前記第１実施例と異なるだけで、その他、高融点金属線にレーザ光を照射して切断または溶融させ、電極間距離を規定するとともに、放電電極５５の先端部を略球状に形成した点などは前記第１実施例と同様の構成および作用である。
　【００３４】
　図５は第２実施例の放電灯を備えた照明器具を示す断面図である。この照明器具６０は凹形状の反射面を有する反射板としての反射ミラー６１を有し、この反射ミラー６１の光学中央部に放電灯５０が内包するように配置され、反射ミラー６１の光学中央部に前方に突出するように保持される。
　【００３５】
　なお、上記各実施例では１本の高融点金属線から２本の電極の電極を形成したが、これに限定することなく、２本以上の電極をレーザ光にて切断形成するようにしてもよい。
　【００３６】
　【発明の効果】以上説明したように、本発明に係る放電灯によれば、少なくとも２本の電極は封着後に高融点金属線をレーザ光にて切断形成して電極間距離を設定したことから、封止時の電極位置変化による電極間距離の変化を考慮する必要がなく、容易に放電距離を定めることができ、また電極封止位置が正確に定められることから、制御容易な光源が得られるとともに、電極位置ずれによって生ずる気密不良、クラックなどを防止することができ、その結果、信頼性の高い放電灯を提供することができる。
　【００３７】
　また、本発明によれば、電極間距離を一定に保持し、上記電極の先端部を略球状に形成したことから、電極の先端部の電界分布が一様になり、劣化を防止することができ、長寿命化を図ることができる。
【図面の簡単な説明】
　【図１】本発明に係る放電灯の第１実施例を示す斜視図。
　【図２】（Ａ）〜（Ｄ）は放電灯の製造手順を示す工程図。
　【図３】図１の放電灯を取り付けた照明器具を示す断面図。
　【図４】（Ａ），（Ｂ）は本発明に係る放電灯の第２実施例において完成前と完成後を示す概略正面図。
　【図５】図４の放電灯を取り付けた照明器具を示す断面図。
　【図６】（Ａ），（Ｂ），（Ｃ）は従来の放電灯の製造手順を示す工程図。
　【符号の説明】
　２０　放電灯
　２１　バルブ
　２２　石英製発光管
　２３　第１の電極マウント
　２４　第２の電極マウント
　２５　放電電極
　２６　金属箔
　２７　アウターリード
　２８　放電空間
　２９　薬品
　３０　高融点金属線
　３５　レーザ装置
　４０　照明器具
　４１　反射ミラー（反射板）
　５０　放電灯
　５１　バルブ
　５３　第１の電極マウント
　５４　第２の電極マウント
　５５　放電電極
　６０　照明器具
　６１　反射ミラー（反射板）